(57)【要約】【課題】硬質フィルムを張設して複層構造とする際にフィルムが破れず、既設のフィルムハウスを保温・断熱効果の高い農業用ハウスにする技術を提供する。【解決手段】母屋材等に対してネジ止め固定された内層側固定部材１０の外側に積み重ねる様に嵩上げ部材２０をネジ止め固定して取り付け、この嵩上げ部材２０の端部を延長する様に合成樹脂製キャップ３０を取り付け、最外層となる外層用硬質フィルムＦ１を、嵩上げ部材２０の端部を越えて合成樹脂製キャップ３０の先まで張設した上で固定する。合成樹脂製キャップ３０は、嵩上げ部材２０の嵩上げ本体部２３に対して嵌合する嵌合構造とされた取付部３２を備え、外層支持部３３は、後端から所定長さまでが嵩上げ部材２０のフィルム支持部２２の上面と面一の水平部３３ａとされ、この水平部３３ａの先が徐々に低くなる傾斜面３３ｂとされた全体に先細の楔形の側面形状とされている。【選択図】  図２
2014018194.tif 000002
【特許請求の範囲】
【請求項１】
内側層を固定する内側層固定部材の外側に積み重ねる様に嵩上げ部材を取り付け、当該嵩上げ部材で内側から支持する様に最外層の硬質フィルムを張ることにより、内側層との間に所定間隔を保って硬質フィルムを張設した複層構造の農業用ハウスにおいて、以下の構成を有することを特徴とする複層構造農業用ハウス。
（１）前記嵩上げ部材の端部に、当該嵩上げ部材を延長する様に合成樹脂製キャップを取り付け、前記最外層となる硬質フィルムを、前記嵩上げ部材の端部を越えて前記合成樹脂製キャップの先まで張設した上で固定する様に構成したこと。
（２）前記合成樹脂製キャップは、前記嵩上げ部材の端部を越えて張設する際に、前記硬質フィルムを前記嵩上げ部材の端部の角に当接しない高さに支持する外層支持部を備えていること。
【請求項２】
さらに、以下の構成をも備えていることを特徴とする請求項１記載の複層構造農業用ハウス。
（３）前記嵩上げ部材は、前記内側層固定部材の外側に積み重ねて設置するための設置底部と、前記最外層となる硬質フィルムを内側から支持するフィルム支持部と、前記設置底部と前記フィルム支持部との間に形成され、嵩上げ高さを確保する嵩上げ本体部とを備えていること。
（４）前記合成樹脂製キャップは、前記嵩上げ部材の端部に当接する後端部と、当該後端部から前記嵩上げ部材側に伸ばされると共に前記嵩上げ部材の嵩上げ本体部に対して嵌合する嵌合構造とされた取付部とを備えると共に、当該嵌合構造によって前記嵩上げ部材に対して取り付けたとき、前記外層支持部の後端が前記嵩上げ部材のフィルム支持部の外面とほぼ面一となる様に構成され、後端から先端に向かって所定長さまでは前記最外層の硬質フィルムと前記内側層との間の間隔をほぼ一定に保った後に、当該間隔を先端に向かって徐々に小さくする様に構成されていること。
【請求項３】
さらに、以下の構成をも備えていることを特徴とする請求項２記載の複層構造農業用ハウス。
（５）前記嵩上げ部材は、前記設置底部と前記フィルム支持部が前記嵩上げ本体部に対して左右に張り出す断面形状の型材で構成され、前記合成樹脂製キャップの取付部は、前記嵩上げ部材の前記設置底部と前記フィルム支持部との間に収まり、前記嵩上げ本体部を横方向から挟み付ける様にして嵌合する様に構成されていること。
【請求項４】
さらに、以下の構成をも備えていることを特徴とする請求項１〜３のいずれか記載の複層構造農業用ハウス。
（６）前記嵩上げ部材が、前記フィルム支持部の幅方向中央をネジの頭部をはみ出させない様に収容し得る凹溝を備え、当該凹溝から前記嵩上げ本体部を介して前記内側固定部材にネジ止め固定される構造とされ、前記合成樹脂製キャッップが、前記外層支持部の幅方向中央をネジの頭部をはみ出させない様に収容し得る凹溝と、当該凹溝に形成されたネジ挿通孔とを備え、当該ネジ挿通孔からネジを挿通して前記内側固定部材に対してネジ止め固定される構造とされていること。
【請求項５】
さらに、以下の構成をも備えていることを特徴とする請求項１〜４のいずれか記載の複層構造農業用ハウス。
（７）前記内層側固定部材にも硬質フィルムが張設され、当該内層側の硬質フィルムは、前記合成樹脂製キャップの先で、前記最外層となる硬質フィルムと重ね合わせて端部を固定されていること。
【請求項６】
さらに、以下の構成をも備えていることを特徴とする請求項１〜５のいずれか記載の複層構造農業用ハウス。
（８）前記合成樹脂キャップは、農業用ハウスにおいて垂直面及び傾斜面を構成する面の上端側において使用され、これら垂直面及び傾斜面の下端側は水平方向に前記嵩上げ部材を設置し、当該水平方向の嵩上げ部材に対して前記最外層となる硬質フィルムの下端側を固定すると共に、当該水平方向の嵩上げ部材には水抜き孔を形成してあること。
【発明の詳細な説明】
【技術分野】
【０００１】
本発明は、農業用ハウスの屋根、側面、妻面等を硬質フィルムを最外層とする複層構造にするための技術に関する。
【背景技術】
【０００２】
本願出願人は、ガラス板を固定する垂木や硬質フィルムを張設する垂木の上に嵩上げ部材を取り付け、この嵩上げ部材で内側から支持する様に硬質フィルムを張設する技術を提案した（特許文献１，２）。
【先行技術文献】
【特許文献】
【０００３】
【特許文献１】実用新案登録第３１４２３９７号
【特許文献２】実用新案登録第３１５５５２６号
【発明の概要】
【発明が解決しようとする課題】
【０００４】
特許文献１，２の技術は、農業用ハウスの保温・断熱効果を高めると共に、嵩上げ部材をアルミ型材で形成することによって屋根上作業の足場としても利用できる点で優れたものである。
【０００５】
しかしながら、アルミ型材は適宜長さに切断して用いられるため、最外層の硬質フィルムを嵩上げ部材の端部を越えて内層側の垂木等に固定する際に、アルミ型材の端部との当接具合によっては硬質フィルムが破れてしまうおそれがあった。
【０００６】
そこで、本発明は、最外層に硬質フィルムを張設して複層構造とする農業用ハウスにおいて、最外層の硬質フィルムが破れることがない様に張設することを目的とし、特に、既設のフィルムハウスを複層構造にするのに適する技術を提供することを目的とする。
【課題を解決するための手段】
【０００７】
上記目的を達成するためになされた本発明の複層構造農業用ハウスは、内側層を固定する内側層固定部材の外側に積み重ねる様に嵩上げ部材を取り付け、当該嵩上げ部材で内側から支持する様に最外層の硬質フィルムを張ることにより、内側層との間に所定間隔を保って硬質フィルムを張設した複層構造の農業用ハウスにおいて、以下の構成を有することを特徴とする。
（１）前記嵩上げ部材の端部に、当該嵩上げ部材を延長する様に合成樹脂製キャップを取り付け、前記最外層となる硬質フィルムを、前記嵩上げ部材の端部を越えて前記合成樹脂製キャップの先まで張設した上で固定する様に構成したこと。
（２）前記合成樹脂製キャップは、前記嵩上げ部材の端部を越えて張設する際に、前記硬質フィルムを前記嵩上げ部材の端部の角に当接しない高さに支持する外層支持部を備えていること。
【０００８】
本発明の複層構造農業用ハウスによれば、嵩上げ部材によって内側層との間に間隔を保った状態に張設された硬質フィルムは、嵩上げ部材の端部の角に当接することなく嵩上げ部材の端部を越えて合成樹脂製キャップの外層支持部で支持されるので、破れることなく複層構造となる様に張設固定することができる。
【０００９】
ここで、本発明の複層構造農業用ハウスは、以下の構成をも備えるとよい。
（３）前記嵩上げ部材は、前記内側層固定部材の外側に積み重ねて設置するための設置底部と、前記最外層となる硬質フィルムを内側から支持するフィルム支持部と、前記設置底部と前記フィルム支持部との間に形成され、嵩上げ高さを確保する嵩上げ本体部とを備えていること。
（４）前記合成樹脂製キャップは、前記嵩上げ部材の端部に当接する後端部と、当該後端部から前記嵩上げ部材側に伸ばされると共に前記嵩上げ部材の嵩上げ本体部に対して嵌合する嵌合構造とされた取付部とを備えると共に、当該嵌合構造によって前記嵩上げ部材に対して取り付けたとき、前記外層支持部の後端が前記嵩上げ部材のフィルム支持部の外面とほぼ面一となる様に構成され、後端から先端に向かって所定長さまでは前記最外層の硬質フィルムと前記内側層との間の間隔をほぼ一定に保った後に、当該間隔を先端に向かって徐々に小さくする様に構成されていること。
【００１０】
本発明の複層構造農業用ハウスにおいて、（３），（４）の構成をも備えることにより、合成樹脂製キャップは、嵩上げ部材の端部に後端部を当接させる様に取り付けられ、嵩上げ部材の端部からさらに所定長さだけ先端に向かって内側層との間の間隔をほぼ一定に保ったまま支持され、その後、合成樹脂製キャップの外層支持部に沿って屈曲しつつ内側層に重なる様に張設固定される。この結果、硬質フィルムは合成樹脂製キャップで支持されたまま屈曲し、屈曲部分で内側からの支持がなくならず、さらに破れ難い構造とすることができる。
【００１１】
また、本発明の複層構造農業用ハウスは、以下の構成をも備えるとよい。
（５）前記嵩上げ部材は、前記設置底部と前記フィルム支持部が前記嵩上げ本体部に対して左右に張り出す断面形状の型材で構成され、前記合成樹脂製キャップの取付部は、前記嵩上げ部材の前記設置底部と前記フィルム支持部との間に収まり、前記嵩上げ本体部を横方向から挟み付ける様にして嵌合する様に構成されていること。
【００１２】
本発明の複層構造農業用ハウスは、（５）の構成をも採用し、嵩上げ部材を型材とすることにより、嵩上げ部材自体を頑丈なものとすることができ、屋根上作業での足場として作業者が乗ることも可能となる。また、型材であるが故に端部が切断面となっていても合成樹脂製キャップによって硬質フィルムの破れ防止が達成される。さらに、型材として寸法形状が正確な嵩上げ部材となることから、合成樹脂製キャップを嵩上げ部材の端部に容易に位置決めしつつ嵌合させることができる。
【００１３】
加えて、これら本発明の複層構造農業用ハウスは、以下の構成をも備えるとよい。
（６）前記嵩上げ部材が、前記フィルム支持部の幅方向中央をネジの頭部をはみ出させない様に収容し得る凹溝を備え、当該凹溝から前記嵩上げ本体部を介して前記内側固定部材にネジ止め固定される構造とされ、前記合成樹脂製キャッップが、前記外層支持部の幅方向中央をネジの頭部をはみ出させない様に収容し得る凹溝と、当該凹溝に形成されたネジ挿通孔とを備え、当該ネジ挿通孔からネジを挿通して前記内側固定部材に対してネジ止め固定される構造とされていること。
【００１４】
本発明の複層構造農業用ハウスは、（６）の構成をも採用することにより、嵩上げ部材及び合成樹脂製キャップを内側固定部材にしっかりとネジ止め固定することができると共に、そのネジの頭が硬質フィルムの支持面から飛び出さないから、上に押さえ部材を取り付ける場合の邪魔になることがなく、また、硬質フィルムに対してネジの頭が当たって傷つけるということも防止できる。
【００１５】
また、既設のフィルムハウスを複層構造にする際には、本発明において、以下の構成をも備えるとよい。
（７）前記内層側固定部材にも硬質フィルムが張設され、当該内層側の硬質フィルムは、前記合成樹脂製キャップの先で、前記最外層となる硬質フィルムと重ね合わせて端部を固定されていること。
【００１６】
即ち、最外層となる硬質フィルムを内層側の硬質フィルムを固定している固定方法をそのまま踏襲し、内側と外側とを重ね合わせる様にして端部を固定することにより、既設のフィルムハウスに対して、嵩上げ部材を用いて後から複層構造にする工事を容易に実施できるからである。
【００１７】
さらに、本発明の複層構造農業用ハウスは、以下の構成をも備えることが望ましい。
（８）前記合成樹脂キャップは、農業用ハウスにおいて垂直面及び傾斜面を構成する面の上端側において使用され、これら垂直面及び傾斜面の下端側は水平方向に前記嵩上げ部材を設置し、当該水平方向の嵩上げ部材に対して前記最外層となる硬質フィルムの下端側を固定すると共に、当該水平方向の嵩上げ部材には水抜き孔を形成してあること。
【００１８】
（８）の構成をも備えることにより、複層構造となった部分の内部の結露等が生じても、これを水抜き孔から抜くことができ、複層構造にしたがためにレンズ効果などの弊害が生じることも防止できるからである。
【発明の効果】
【００１９】
本発明によれば、最外層に硬質フィルムを張設して複層構造とする農業用ハウスにおいて、最外層の硬質フィルムが破れることがなく、保温・断熱効果の高い農業用ハウスを提供することができる。そして、既設のフィルムハウスに対して、大幅なコストを掛けることなく複層構造にすることができる。
【図面の簡単な説明】
【００２０】
【図１】実施例１の農業用ハウスを示し、（Ａ）は平面図、（Ｂ）は側面図、（Ｃ）は要部を拡大して示す立面構成図である。
【図２】図１の要部拡大図である。
【図３】実施例１において硬質フィルム二重張りとするための部材の斜視図である。
【図４】実施例１における合成樹脂製キャップを示し、（Ａ）は上方から見た斜視図、（Ｂ）は下方から見た斜視図である。
【図５】実施例２における農業用ハウスの要部を拡大して示す立面構成図である。
【発明を実施するための形態】
【００２１】
以下に、本発明の農業用ハウスの実施形態を実施例に基づいて説明する。
【実施例１】
【００２２】
農業用ハウス１は、図１（Ａ），（Ｂ）に示す様に、屋根面、妻面、桁面（側面）を全て硬質フィルム二重張りとしている。より具体的には、図１（Ｃ）及び図２に示す様に、母屋材や桟材などに対してネジ止め固定された内層側固定部材１０の外側に積み重ねる様に嵩上げ部材２０をネジ止め固定して取り付け、この嵩上げ部材２０の端部を延長する様に合成樹脂製キャップ３０を取り付け、最外層となる外層用硬質フィルムＦ１を、嵩上げ部材２０の端部を越えて合成樹脂製キャップ３０の先まで張設した上で固定する構造を採用している。
【００２３】
内層側固定部材１０は、図２，図３に示す様に、全体として直角三角形状のボトム空間部１１を形成する本体部１２と、この本体部１２において上端を外側へ曲げる様にして形成された開口部１３を形成する上端Ｒ部１４，１５と、図示左側の上端Ｒ部１４から本体部１２の垂直部に沿って下方に伸びた後に外側へ水平に折り曲げられた底面水平部１６とを備えた断面形状のスチール製型材で構成されている。左右の上端Ｒ部１４，１５は、内層用の硬質フィルムＦ２に損傷を与えない様に湾曲面で構成される。
【００２４】
嵩上げ部材２０は、図２，図３に示す様に、内側層固定部材１０の外側に積み重ねて設置するための設置底部２１と、外層用硬質フィルムＦ１を内側から支持するフィルム支持部２２と、設置底部２１とフィルム支持部２２との間に形成され、嵩上げ高さを確保する嵩上げ本体部２３とを備えた断面形状のアルミ合金製型材で構成されている。
【００２５】
設置底部２１は、内層側固定部材１０の上端Ｒ部１４，１５よりも幅広の凹部２１ａを形成する様に左右の両縁が下方に湾曲された脚部２１ｂ，２１ｃを備えている。嵩上げ本体部２３は、設置底部２１の上面から垂直に上方に伸びる二列の平行な本体垂直部２３ａ，２３ｂを備えている。これら二列の本体垂直部２３ａ，２３ｂは、内層側固定部材１０の上端Ｒ部１４，１５の間隔よりも若干広い間隔となっている。フィルム支持部２２は、これら本体垂直部２３ａ，２３ｂの上端を水平方向外側に屈曲させて横方向に広がる様に形成された水平部２２ａ，２２ｂと、これら水平部２２ａ，２２ｂの外側端を上方に垂直に屈曲させた支持部２２ｃ，２２ｄとを備え、幅方向中央に上方から窪む凹溝２２ｅを備えた断面形状に構成されている。嵩上げ本体部２２の凹溝２２ｅは、嵩上げ部材２０を内層側固定部材１０に対してネジ止め固定したときに、ネジの頭部をはみ出させない深さとされている。
【００２６】
嵩上げ部材２０において、左右の脚部２１ｂ，２１ｃの内層用硬質フィルムＦ２との接触面は、フィルムに損傷を与えない様に湾曲面で構成される。同じく、支持部２２ｃ，２２ｄの上端角も湾曲面となっていて外層用硬質フィルムＦ１と接触しても損傷を与えない様に構成されている。
【００２７】
嵩上げ部材２０の上には、図２，図３に示す様に、押さえ材２５が取り付けられる。この押さえ部材２５は、嵩上げ部材２０の支持部２２ｃ，２２ｄよりも幅広の凹部２５ａを底面に形成する様に左右の両縁が下方に湾曲された脚部２５ｂ，２５ｃを備える下向きコ字状断面の板状部２５ｄからなる断面形状のアルミ合金製型材で構成されている。上面中央には、三角形断面溝２５ｅが全長に渡り刻設されており、底面中央には半円形断面突条２５ｆが全長に渡り突設されている。なお、左右の脚部２５ｂ，２５ｃのフィルムとの接触面は、フィルムに損傷を与えない様に湾曲面で構成される。
【００２８】
合成樹脂製キャップ３０は、図２〜図４に示す様に、嵩上げ部材２０の端部に当接する後端部３１と、後端部３１から嵩上げ部材側に伸ばされると共に嵩上げ部材２０の嵩上げ本体部２３に対して嵌合する嵌合構造とされた取付部３２とを備え、上面が外層用フィルムＦ１を内側から当接支持する外層支持部３３とされている。外層支持部３３は、合成樹脂製キャップ３０を嵩上げ部材２０に対して取り付けたとき、後端から所定長さまでが嵩上げ部材２０のフィルム支持部２２の上面と面一の水平部３３ａとされ、この水平部３３ａの先が徐々に低くなる傾斜面３３ｂとされた全体に先細の楔形の側面形状とされている。
【００２９】
合成樹脂製キャップ３０の取付部３２は、嵩上げ部材２０の設置底部２１とフィルム支持部２２との間に収まる高さで、嵩上げ本体部２３を横方向から挟み付ける様にして嵌合する二列の挟持部３２ａ，３２ｂから構成されている。この挟持部３２ａ，３２ｂの内面は後方に向かって広がる用に面取りされた面取部３２ｃ，３２ｄとなっている。また、外層支持部３３の水平部３３ａと傾斜面３３ｂとの連続部分は湾曲面となる様に構成されている。そして、傾斜面３３ｂの先端も円筒面とされている。
【００３０】
また、合成樹脂製キャップ３０の水平部３３ａは、幅方向中央をネジの頭部をはみ出させない様に収容し得る凹溝３４とされている。そしてこの凹溝３４にネジ挿通孔３５が備えられていて、このネジ挿通孔３５からネジを挿通して内側固定部材１０に対してネジ止め固定できる構造となっている。また、図４（Ｂ）に示す様に、合成樹脂製キャップ３０の底面は、幅方向中央が上方に窪ませた構造となっている。この窪み３６の幅は、内層側固定部材１０の上端Ｒ部１４，１５よりも幅広で、嵩上げ部材２０の設置底部２１の凹部２１ａとほぼ同じである。また、射出成形によって一体成形できると共に十分な強度を有する様に、底面側が補強リブを備えたくりぬくき形状とされている。
【００３１】
嵩上げ部材２０は、図２（Ａ）に示す様に、内層側固定部材１０よりも短く構成されている。そして、嵩上げ部材２０の端部を延長する様に合成樹脂製キャップ３０が取り付けられ、外層用硬質フィルムＦ１を外層支持部３３で内側から支持しつつ内層側固定部材１０の端部辺りに導く様に張設できる様になっている。そして、外層用硬質フィルムＦ１は、内層側固定部材１０の上面に支持された内層用硬質フィルムＦ２と共に、端部固定部材４０の支持部４１を越える位置まで設置され、端部押さえ部材４５によって上から押さえる様にして固定される。
【００３２】
本実施例によれば、嵩上げ部材２０によって内層用硬質フィルムＦ２との間に間隔を保った状態に張設された外層用硬質フィルムＦ１は、嵩上げ部材２０の端部の角に当接することなく嵩上げ部材２０の端部を越えて合成樹脂製キャップ３０の外層支持部３３で支持されるので、破れることなく複層構造となる様に張設固定することができる。
【００３３】
また、合成樹脂製キャップ３０は、嵩上げ部材２０の端部からさらに所定長さだけ先端に向かって内層フィルムＦ２との間の間隔をほぼ一定に保ったまま外層用硬質フィルムＦ１を支持し、その後、屈曲しつつ内層用硬質フィルムＦ２に重なる様に張設固定される。この結果、外層用硬質フィルムＦ１は合成樹脂製キャップ３０で支持されたまま屈曲し、屈曲部分で内側からの支持がなくならず、さらに破れ難い構造となっている。
【００３４】
さらに、嵩上げ部材２０を型材とすることにより、嵩上げ部材自体を頑丈なものとすることができ、屋根上作業での足場として作業者が乗ることも可能である。そして、型材であるが故に端部が切断面となっていても合成樹脂製キャップ３０によって外層用硬質フィルムＦ１の破れ防止が達成される。さらに、型材として寸法形状が正確な嵩上げ部材２０となることから、合成樹脂製キャップ３０を嵩上げ部材２０の端部に容易に位置決めしつつ嵌合させることができる。
【００３５】
加えて、嵩上げ部材２０及び合成樹脂製キャップ３０を内側固定部材１０にしっかりとネジ止め固定することができると共に、そのネジの頭がフィルム支持面から飛び出さないから、押さえ部材２５を取り付ける場合の邪魔になることがなく、また、外層用硬質フィルムＦ１に対してネジの頭が当たって、これを傷つけるということもない。
【実施例２】
【００３６】
図５に示す様に、屋根面の下端側において、内側層固定部材１０及び嵩上げ部材２０が積み重なった水平方向の下端構造を備え、内側層固定部材１０及び嵩上げ部材２０に水抜き孔を設ける。図示していないが、垂直面の下端側も同様の構成とし、屋根面の上端側は合成樹脂製キャップ３０を装着して嵩上げ部材２０を延長した上で、内側用と外側用の硬質フィルムを重ね合わせて固定する。
【００３７】
合成樹脂製キャップ３０の先における硬質フィルムの端部固定方法は、内側層の硬質フィルムを固定するために単層構造のフィルムハウスに備えられる固定部材を用いて内側用と外側用の硬質フィルムを重ね合わせて固定する。
【００３８】
実施例２によれば、複層構造となった屋根面や垂直面の内部に結露が生じても、これを水抜き孔から抜くことができ、複層構造にしたがためにレンズ効果などの弊害が生じることも防止できる。
【００３９】
以上説明した様に、実施例１，２によれば、最外層に硬質フィルムを張設して複層構造とする農業用ハウスにおいて、最外層の硬質フィルムが破れることがなく、保温・断熱効果の高い農業用ハウスを提供することができる。
【００４０】
特に、合成樹脂製キャップ３０の先において内側用と外側用の硬質フィルムＦ１，Ｆ２を重ね合わせて固定する構成を採用しているので、既設のフィルムハウスに対して、大幅なコストを掛けることなく複層構造にすることができる。
【００４１】
以上、本発明の一実施例について説明したが、本発明はこの実施例に限られるものではなく、その要旨を逸脱しない範囲内においてさらに種々の形態を採用することができることはもちろんである。
【産業上の利用可能性】
【００４２】
農業用ハウスの屋根、側面、妻面等を硬質フィルムによる二重構造としてハウスの保温・断熱効果を高める際に利用することができ、特に、既設のフィルムハウスに対して、大幅なコストを掛けることなく複層構造にすることができる。
【符号の説明】
【００４３】
１・・・農業用ハウス
１０・・・内層側固定部材
２０・・・嵩上げ部材
２１・・・設置底部
２２・・・フィルム支持部
２２ａ，２２ｂ・・・水平部
２２ｃ，２２ｄ・・・支持部
２２ｅ・・・凹溝
２３・・・嵩上げ本体部
２３ａ，２３ｂ・・・本体垂直部
２５・・・押さえ材
３０・・・合成樹脂製キャップ
３１・・・後端部
３２・・・取付部
３２ａ，３２ｂ・・・挟持部
３３・・・外層支持部
３３ａ・・・水平部
３３ｂ・・・傾斜面
３４・・・凹溝
３５・・・ネジ挿通孔
４０・・・端部固定部材
Ｆ１・・・外層用硬質フィルム
Ｆ２・・・内層用硬質フィルム
【図１】
2014018194.tif 000003
【図２】
2014018194.tif 000004
【図３】
2014018194.tif 000005
【図４】
2014018194.tif 000006
【図５】
2014018194.tif 000007